(57)【要約】【課題】熱交換器を通過する気流の風速分布の均一化を図った空気調和装置、及び、熱交換器を提供する。【解決手段】フィン・アンド・チューブ型の熱交換器２１と、当該熱交換器２１に送風する送風機２２とを筐体１１に備えた空気調和装置において、送風機２２の送風方向Ｘに沿う熱交換器２１のフィン幅Ｗ１，Ｗ２が、送風機２２に近い位置において、他の部位におけるフィン幅Ｗよりも幅広く形成されている。【選択図】図４
2013130329.tif 000002
【特許請求の範囲】
【請求項１】
フィン・アンド・チューブ型の熱交換器と、当該熱交換器に送風する送風機とを筐体に備えた空気調和装置において、前記送風機の送風方向に沿う前記熱交換器のフィン幅が、前記送風機に近い位置において、他の部位におけるフィン幅よりも幅広く形成されていることを特徴とする空気調和装置。
【請求項２】
前記筐体の上部に前記送風機が配置され、横吸い込み、上吹き出しの室外ユニットであって、前記熱交換器の上部に前記フィンの幅が幅広く形成された部位が延在することを特徴とする請求項１に記載の空気調和装置。
【請求項３】
前記幅広く形成された部位が、前記熱交換器の内方に形成されていることを特徴とする請求項１又は２に記載の空気調和装置の室外ユニット。
【請求項４】
前記幅広く形成された部位のフィン形状が矩形状に張り出すことを特徴とする請求項１乃至３のいずれか一項に記載の空気調和装置。
【請求項５】
前記幅広く形成された部位のフィン形状が三角形状に張り出すことを特徴とする請求項１乃至３のいずれか一項に記載の空気調和装置。
【請求項６】
フィン・アンド・チューブ型の熱交換器であって、
送風機の送風方向に沿う前記熱交換器のフィン幅が、前記送風機に近い位置において、他の部位におけるフィン幅よりも幅広く形成されていることを特徴とするフィン・アンド・チューブ型の熱交換器。
【請求項７】
前記熱交換器が断面略コ字型の熱交換器であることを特徴とする請求項６に記載のフィン・アンド・チューブ型の熱交換器。
【発明の詳細な説明】
【技術分野】
【０００１】
本発明は、フィン・アンド・チューブ型の熱交換器と、当該熱交換器に送風する送風機とを筐体に備えた空気調和装置に関する。
【背景技術】
【０００２】
一般に、筺体の底板上に配置される圧縮機と、前記底板上に配置されて前記筺体の背面及び左右両側面を形成する断面略コ字型の熱交換器と、この熱交換器の上部に配置される送風機とを備える空気調和装置が知られている（例えば、特許文献１参照）。
【先行技術文献】
【特許文献】
【０００３】
【特許文献１】特開２００６−１８９１９６号公報
【発明の概要】
【発明が解決しようとする課題】
【０００４】
しかしながら、この種の空気調和装置では、熱交換器の送風機に近い位置では、熱交換器を通過して流れる気流の風速が、熱交換器の他の部位を通過して流れる気流の風速に対して、急速になる。このように、熱交換器の各部に風速分布の不均一化が生じた場合には、熱交換器の熱交換効率が低下する問題がある。
本発明は、上述した事情に鑑みてなされたものであり、熱交換器を通過する気流の風速分布の均一化を図った空気調和装置、及び、熱交換器を提供することを目的とする。
【課題を解決するための手段】
【０００５】
上記目的を達成するために、本発明は、フィン・アンド・チューブ型の熱交換器と、当該熱交換器に送風する送風機とを筐体に備えた空気調和装置において、前記送風機の送風方向に沿う前記熱交換器のフィン幅が、前記送風機に近い位置において、他の部位におけるフィン幅よりも幅広く形成されていることを特徴とする。
【０００６】
また、本発明は、上記の空気調和装置において、前記筐体の上部に前記送風機が配置され、横吸い込み、上吹き出しの室外ユニットであって、前記熱交換器の上部に前記フィンの幅が幅広く形成された部位が延在することを特徴とする。
【０００７】
また、本発明は、上記の空気調和装置において、前記幅広く形成された部位が、前記熱交換器の内方に形成されていることを特徴とする。
【０００８】
また、本発明は、上記の空気調和装置において、前記幅広く形成された部位のフィン形状が矩形状に張り出すことを特徴とする。
【０００９】
また、本発明は、上記の空気調和装置において、前記幅広く形成された部位のフィン形状が三角形状に張り出すことを特徴とする。
【００１０】
また、上記目的を達成するために、本発明は、フィン・アンド・チューブ型の熱交換器であって、送風機の送風方向に沿う前記熱交換器のフィン幅が、前記送風機に近い位置において、他の部位におけるフィン幅よりも幅広く形成されていることを特徴とする。
【００１１】
また、本発明は、上記のフィン・アンド・チューブ型の熱交換器において、前記熱交換器が断面略コ字型の熱交換器であることを特徴とする。
【発明の効果】
【００１２】
本発明によれば、フィン・アンド・チューブ型の熱交換器と、当該熱交換器に送風する送風機とを筐体に備えた空気調和装置において、前記送風機の送風方向に沿う前記熱交換器のフィン幅が、前記送風機に近い位置において、他の部位におけるフィン幅よりも幅広く形成されているため、熱交換器の送風機に近い位置を通過する空気の通風抵抗を上げることができ、熱交換器の他の部位からの通過風量を増やすことができる。これによって、熱交換器を通過する気流の風速分布の均一化を図ることができ、熱交換器の熱交換効率を向上することができる。
【図面の簡単な説明】
【００１３】
【図１】本発明の一実施の形態を示す空気調和装置の室外ユニットの外観斜視図である。
【図２】室外ユニットの側断面図である。
【図３】室外ユニットの内部構成を示す上面図である。
【図４】熱交換器を示す斜視図である。
【図５】熱交換器の構成を示す部分拡大図である。
【図６】幅広フィン板を示す斜視図である。
【図７】別の実施形態の熱交換部を示す部分斜視図である。
【図８】別の実施形態の幅広フィン板を示す斜視図である。
【発明を実施するための形態】
【００１４】
以下、図面を参照して本発明の実施形態について説明する。
本実施形態に係る空気調和装置は、室外ユニット１０と室内ユニット（図示せず）とから構成されており、冷媒配管により接続された冷媒回路に冷媒を流して、冷房運転および暖房運転を行う。室外ユニット１０は、室外に設置され、室外空気と熱交換して冷房運転時には冷媒を凝縮させて外気に熱を放出し、暖房運転時には冷媒を蒸発させて外気から熱を取り込むものである。なお、以下に述べる上下および左右といった方向は、室外ユニット１０を設置した状態でその前面側から見た場合の方向を示している。
【００１５】
図１は、室外ユニット１０の外観斜視図であり、図２は、室外ユニット１０を右側から見た側断面図である。室外ユニット１０は、略直方体箱形状のユニットケース（筺体）１１を備え、このユニットケース１１は、前後方向に延びる一対の脚部材１３、１３上に架け渡されて固定される底板１２と、この底板１２の４隅から鉛直方向に延びる支柱１４と、前面パネル１５とを有して構成される。
底板１２上には、後述する熱交換器２１が配置され、この熱交換器２１によってユニットケース１１の背面及び左右両側面が形成されている。また、熱交換器２１の上部には、室外ファン（送風機）２２と、この室外ファン２２の周囲にベルマウス２５とが配置され、このベルマウス２５の吹出開口２５Ａには、室外ファン２２への接触を防止するファンガード２６が配置されている。また、ベルマウス２５の周囲には、発泡スチロール等の断熱材を備えた化粧パネル２７が設けられている。
【００１６】
前面パネル１５は、上下に二分割された上パネル１５Ａと下パネル１５Ｂとを備え、これら上パネル１５Ａ及び下パネル１５Ｂは、前面側の支柱１４、１４間に架け渡されて固定されている。ユニットケース１１の前面側には、図２に示すように、圧縮機３０や、四方弁及び膨張弁といった弁体等の冷媒回路構成部品３２が配管接続されて収容される。これら冷媒回路構成部品３２の配管の一端側は、熱交換器２１を介して室内ユニットと配管接続され、当該冷媒回路構成部品３２の配管の他端側は室内ユニットに配管接続され、これにより、冷媒を循環する冷媒回路が構成される。
また、ユニットケース１１の前面側には、圧縮機３０等の上方に室外ユニット１０の各種機器を制御するための制御ユニットを収容した電装箱３４が配置されている。これにより、前面パネル１５を取り外すことによって、作業者が前面側から圧縮機３０や電装箱３４内の制御ユニット等のメンテナンス作業を容易に行うことができる。
【００１７】
室外ファン２２は、図２に示すように、ユニットケース１１の上部に配置され、熱交換器２１の上方に配置されるファンモーター２３と、このファンモーター２３の軸に取り付けられたプロペラファン２４とを備えて構成される。ユニットケース１１の幅方向に隣接する支柱１４，１４間には、熱交換器２１の上端に相当する位置で当該支柱１４，１４を連結する不図示の連結部材が設けられ、ファンモーター２３は、これら連結部材間に架け渡された支持フレーム１６に固定される。
ファンモーター２３によりプロペラファン２４が回転駆動されると、室外ユニット１０の周囲、より具体的には図２、３中矢印Ｘで示すように、ユニットケース１１の前面を除いた左側面側、背面側及び右側面側から外気がユニットケース１１内に吸い込まれ、このユニットケース１１の上面部に設けられたベルマウス２５の吹出開口２５Ａを通じて外に排出される。つまり、この室外ユニット１０は、側面から空気を吸込み、上面から熱交換後の空気を吹き出す、横吸込み、上面吹き出しタイプに構成されている。
【００１８】
ユニットケース１１の底板１２上には、図３に示すように、断面略コ字型に屈曲されて形成された熱交換器２１が配置され、この熱交換器２１は、ユニットケース１１の左側面から背面及び右側面に沿わせて配置され、この熱交換器２１の両端面には、それぞれ当該熱交換器２１内に連続蛇行曲げして配管された冷媒管を固定するための管板２１Ａが設けられている。
【００１９】
熱交換器２１で囲まれた内側には、上記した圧縮機３０や冷媒回路構成部品３２とともに冷媒回路の一部を構成するアキュムレータ３５、オイルセパレーター３６及びレシーバータンク３７が底板１２上に配置されている。また、アキュムレータ３５の上部中央には、フレーム１７が固定され、フレーム１７は、アキュムレータ３５の上端部から延びて、支柱１４，１４を連結する連結部材に固定され、アキュムレータ３５の揺動を防止している。
【００２０】
これらアキュムレータ３５、オイルセパレーター３６及びレシーバータンク３７は、冷媒または冷凍機油を一時的に貯留する圧力容器であり、メンテナンス頻度が低いものである。一方、上記した圧縮機３０や冷媒回路構成部品３２は、モーターやコイル等の電動要素を備えるため、メンテナンス頻度が高い。このため、本構成では、底板１２上から電装箱３４の下端部まで上方に延びる仕切り板３８を設け、この仕切り板３８によって、ユニットケース１１内が、図３に示すように、熱交換室３９と機械室５０とに区分けされている。機械室５０には、メンテナンス頻度の高い圧縮機３０や冷媒回路構成部品３２が収容され、熱交換室３９には、メンテナンス頻度の低い熱交換器２１、アキュムレータ３５、オイルセパレーター３６及びレシーバータンク３７が収容されている。
【００２１】
次に、熱交換器２１の構成について説明する。図４、及び、図５は、熱交換器２１の構成を示す図であり、図４は熱交換器２１の全体斜視図、図５は熱交換器２１を構成する熱交換部４０の部分斜視図である。
熱交換器２１は、図４に示すように、フィン・アンド・チューブ型の熱交換部４０を通風方向Ｘに前後に３列並べて、断面略コ字状に構成される。各熱交換部４０は、一対の管板２１Ａ間に互いに間隔を開けて、配置される複数のフィン板（フィン）４１と、これらフィン板４１を貫通する複数のチューブ４３を備えて構成されている。チューブ４３は、互いに略平行に上下に複数段並べられて設けられ、各チューブ４３の端に設けられたＵ字部（Ｕベント）４４によって１本の冷媒配管として連結されている。なお、各フィン板４１は、細長い略矩形板状に形成され、このフィン板４１の長手方向における上端部側に室外ファン２２が配置されている。
【００２２】
熱交換器２１は、通風方向Ｘ、つまり室外ファン２２の送風方向に沿って、上部がユニットケース１１の内方に向かって幅広く形成された部位（幅広部）４６を備える。
ところで、本実施形態に示した室外ユニット１０は、横吸込み、上面吹き出しタイプの室外ユニットであり、ユニットケース１１が比較的高さ寸法の高い背高形状に形成される（図１参照）。室外ユニット１０は、熱交換器２１の上部に配置された室外ファン２２の駆動により、ユニットケース１１の横から、熱交換器２１を介して吸い込んだ空気を、ユニットケース１１の上面から吹き出すが、熱交換器２１を介してユニットケース１１内に吸い込まれる空気の量は、室外ファン２２から遠い位置、つまり、ユニットケース１１の下部では、室外ファン２２に近い位置、つまり、ユニットケース１１の上部よりも少なくなる。このように、熱交換器２１の各位置で通過風量が変動すると、熱交換器２１の放熱効率の低減に大きく影響を与える。
【００２３】
本実施形態では、熱交換器２１は、上部に室外ファン２２の送風方向である通風方向Ｘに沿って、熱交換器の内方に向かって幅広に形成された幅広部４６を備える。この幅広部４６では、熱交換器２１を通過する空気の通過距離が、他の部位よりも長くなるため、通風抵抗が増加する。これにより、熱交換器２１の上部の室外ファン２２に近い位置の通風抵抗を他の部位の通風抵抗よりも増加させることができる。よって、通風抵抗が低い熱交換器２１の下部からの通過風量を増加させることができる。そのため、熱交換器２１の室外ファン２２に近い位置と、他の部位とで、通過風量の均一化を図ることができ、熱交換器２１の放熱効率を向上することができる。
【００２４】
熱交換器２１の幅広部４６は、熱交換器２１を構成する３つの熱交換部４０のうち、最内に配置される熱交換部４０Ａの幅広部４６に対応する位置に、幅広フィン板（フィン）４１Ａを配置して形成される。幅広フィン板４１Ａは、図６に示すように、室外ファン２２に近い位置に配置されるフィン板４１Ａの上部のフィン幅Ｗ１が他の部位のフィン幅Ｗよりも幅広く形成されている。なお、幅広フィン板４１Ａの下部のフィン幅Ｗは、フィン板４１のフィン幅Ｗと同じ幅で形成されている。
【００２５】
図６は、熱交換部４０Ａの幅広部４６に対応する位置に配置されるフィン板４１である幅広フィン板４１Ａを示す図である。幅広フィン板４１Ａは、細長い略矩形板状の板状部５１と、板状部５１に上下に等間隔に並べて形成された貫通孔５３と、貫通孔５３の周囲を囲み、板状部５１に所定の立ち上がり寸法で略垂直に立設されたフィンカラー５４と、を備える。
幅広フィン板４１Ａは、室外ファン２２に近い位置に配置される板状部５１の上部のフィン幅が、上端に向かって徐々に幅広になるように形成され、熱交換器２１の内方に三角形状に張り出すように設けられる。なお、図６に示した幅広フィン板４１Ａは、フィン幅が、板状部５１の所定の高さ位置から上端部に向かって、高さ寸法Ｈ１の範囲で徐々に幅広なるように形成されているが、フィン板４１Ａは、下端から上端に向かって徐々に幅広になる略三角形状に形成されている構成であっても良い。
【００２６】
この構成によれば、熱交換器２１の最内に配置される熱交換部４０Ａの幅広部４６となるべく位置に、室外ファン２２に近い位置に配置される上部が幅広の幅広フィン板４１Ａを配置することで、熱交換器２１の上部に他の部位よりも幅広の幅広部４６を形成することができる。このため、簡単な構造で、熱交換器２１の室外ファン２２に近い上部に、他の部位よりも幅広の部位である幅広部４６を形成することができる。
幅広部４６では、熱交換器２１を通過する空気の通過距離が長くなるため、空気と、フィン板４１Ａとの接触面積が広がり、通風抵抗が増加する。室外ファン２２が駆動すると、ユニットケース１１の周囲の空気が横から吸い込まれ、熱交換器２１のフィン板４１，４１Ａ間を通過して、ユニットケース１１内に吸い込まれるが、このとき、熱交換器２１の上部は、幅広部４６によって通風抵抗が大きくなっている。そのため、通風抵抗が上部に比べて小さくなる熱交換器２１の下部からの通過風量が増加する。この構成によれば、室外ファン２２に近い熱交換器２１の上部に他の部位よりも幅広く形成された幅広部４６を設けて、熱交換器２１の上部の通風抵抗を大きくすることで、室外ファン２２からは遠い熱交換器２１の下部からの通過風量を増加させることができ、熱交換器２１全体の通過風量を均一化することができるため、熱交換器２１の放熱効率を向上することができる。
【００２７】
また、熱交換器２１の幅広部４６は、熱交換器２１の最内に配置される熱交換部４０Ａの幅広部４６となるべく位置に、上部が下部よりも幅広に形成された幅広フィン板４１Ａを配置することで形成されるため、幅広部４６では、幅広部４６を通過する空気と、幅広フィン板４１Ａとの熱交換面積が広がる。これにより、熱交換器２１の上部の通風抵抗を上げて通過風量を低減させても、熱交換器２１の放熱量を増やすことができる。また、幅広部４６は、熱交換器２１の最内に配置される熱交換部４０に設けられるため、室外ユニット１０の外観形状を変えることがない。
【００２８】
なお、幅広フィン板４１Ａのフィン幅を広げる範囲の高さ寸法Ｈ１をどの程度にするか、或いは、幅広フィン板４１Ａの上端部のフィン幅Ｗ１をどの程度にするかは、熱交換器２１全体の通過風量を均一化すべく、実験やシミュレーション等によって求めることができ、ユニットケース１１の寸法や、室外ファン２２の容量、或いは、ユニットケース１１内の部品の配置状態等によって最適な値とすることができる。
【００２９】
フィンカラー５４は、所定の立ち上がり寸法で形成され、このフィンカラー５４の立ち上がり寸法によってフィン板４１間の間隔であるフィンピッチが規定される。つまり、フィンカラー５４の立ち上がり寸法は、フィン板４１間の所望のフィンピッチと略同じ値に形成されている。熱交換部４０の組み立て工程時には、チューブ４３をフィン板４１の貫通孔５３に挿し込む際に、フィンカラー５４を隣のフィン板４１に接触させることで、フィン板４１を狙ったフィンピッチで簡単に配置することができる。これにより、フィン板４１間のフィンピッチの整合性を高めることができ、熱交換部４０の組み立て作業性を向上することができる。
【００３０】
なお、フィンカラー５４は、内周面がチューブ４３の外周面に周方向に亘って面で密着接触するように形成されている。この構成によれば、フィン板４１と、チューブ４３との接触面積を増やすことができるため、チューブ４３からフィン板４１への伝熱効率を高めることができる。
【００３１】
また、フィン板４１は、貫通孔５３の間に形成された凸部５５を備える。凸部５５は、例えば、プレス加工によりフィン板４１の板状部５１に形成される。薄板状のフィン板４１は、この凸部５５を備えるため、強度が増し、熱交換部４０の組み立て工程、或いは、屈曲工程において、フィン板４１が変形するのを防止することができる。
【００３２】
＜別の実施形態＞
図７は、本発明の別の実施形態の熱交換器２１の最内に配置される熱交換部４０Ｂであって、熱交換器２１の幅広部４６Ａに対応する位置の熱交換部４０Ｂを示す図である。上述の実施形態では、熱交換部４０Ａの幅広部４６に配置されるフィン板４１のフィン形状は、熱交換器２１の内方に向かって三角形状に張り出し、上端部に向かって徐々に幅広になる構成とした。この別の実施形態では、熱交換部４０Ｂに段差５７を設けて、熱交換部４０Ｂの上端部に内方に矩形状に張り出す幅広の幅広部４６Ａを形成している。なお、この別の実施形態において、室外ユニット１０の構成は、以下に説明する幅広部４６Ａ、及び、この幅広部４６Ａに配置される幅広フィン板（フィン）４１Ｂの構成以外は上述した実施形態と同一であり、また、幅広部４６Ａ、及び、幅広フィン板４１Ｂにおいても、上述した実施形態と同様の構成要素については、同一の符号を付し、その説明を省略する。
【００３３】
この別の実施形態の熱交換器２１は、熱交換機２１を構成する３つの熱交換部４０のうち、最内に配置される熱交換部４０Ｂの幅広部４６Ａに対応する位置に、幅広フィン板４１Ｂが配置されている。幅広フィン板４１Ｂは、図８に示すように、略Ｌ字形状に形成され、板状部５１Ａの上部のフィン幅Ｗ２が、板状部５１の下部のフィン幅Ｗ１よりも幅広に形成されている。つまり、幅広フィン板４１Ｂは、幅広く形成された部位のフィン形状が、熱交換器２１の内方に向かって矩形状に張り出すように形成されている。板状部５１Ａのフィン幅は、上端から所定の高さＨ２の範囲で下部より幅広のフィン幅Ｗで形成される。板状部５１をフィン幅Ｗ２で形成する高さＨ２は、熱交換器２１の上部で通過風量が熱交換器２１の下部に比べて多くなりすぎる部分の高さに相当し、熱交換器２１全体の通過風量を均一化すべく、実験やシミュレーション等によって求めることができ、ユニットケース１１の寸法や、室外ファン２２の容量、或いは、ユニットケース１１内の部品の配置状態等によって最適な値とすることができる。
【００３４】
この構成によれば、熱交換器２１の最内に配置される熱交換部４０Ａの上部に幅広部４６Ａを形成すべく、熱交換部４０Ａの幅広部４６Ａに対応する位置に配置される幅広フィン板４１Ｂの上部のフィン幅Ｗ２を、下部のフィン幅Ｗよりも幅広に形成し、この幅広く形成された部位が熱交換器２１の内方に矩形状に張り出す。これにより、簡単な構造で、熱交換器２１の上部に幅広の部位である幅広部４６Ａを設け、熱交換器２１の上部の通風抵抗を下部よりも増加させることができる。これにより、幅広部４６Ａが設けられた熱交換器２１の上部の通風抵抗を増加させ、熱交換器２１の下部から空気を吸込み易くすることができ、熱交換器２１の全体に満遍なく空気を流せるようになるため、熱交換器２１全体の通過風量を均一化することができ、熱交換器２１の放熱効率を向上することができる。
【００３５】
以上説明したように、本発明を適用した実施形態によれば、フィン・アンド・チューブ型の熱交換器２１と、当該熱交換器２１に送風する送風機２２とを筐体１１に備えた空気調和装置において、送風機２２の送風方向Ｘに沿う熱交換器２１のフィン幅Ｗ１，Ｗ２が、送風機２２に近い位置において、他の部位におけるフィン幅Ｗよりも幅広く形成されている。これにより、送風機２２に近く、通過風速の早くなる位置で、他の部位よりも熱交換器２１の通風抵抗が増加する。よって、送風機２２に近い位置の通過風量を抑制し、他の部位の通過風量を増加させることができ、熱交換器２１の全体の通過風量を均一化させることができるため、熱交換器２１の放熱効率を向上することができる。
【００３６】
また、本発明を適用した実施形態によれば、筐体１１の上部に送風機２２が配置され、横吸い込み、上吹き出しの室外ユニット１０であって、熱交換器２１の上部にフィンの幅Ｗ１，Ｗ２が幅広く形成された部位が延在する。この構成によれば、熱交換器２１の上部のフィン幅Ｗ１，Ｗ２を、下部のフィン幅Ｗよりも幅広く形成することで、熱交換器２１の送風機２２に近い上部に他の部位よりフィン幅が幅広く形成された部位を簡単に設けることができる。これにより、送風機２２に近い熱交換器２１の上部の通風抵抗を上げることで、熱交換器２１の上部の通過風量を抑制し、他の部位、特に、熱交換器２１の下部の通過風量を増加させることができる。よって、熱交換器２１全体の通過風量を均一化させることができ、熱交換器２１の放熱効率を向上することができる。
【００３７】
また、本発明を適用した実施形態によれば、幅広く形成された部位４６が、熱交換器２１の内方に形成されているため、室外ユニット１０の外形形状を変えることなく、熱交換器２１の上部に他の部位におけるフィン幅よりも幅広く形成された幅広部位を設けて、熱交換器２１の上部の通風抵抗を増加させることができる。これにより、熱交換器２１の上部の通過風量を抑制し、他の部位、特に、熱交換器２１の下部の通過風量を増加させることができるため、熱交換器２１全体の通過風量を均一化させることができ、熱交換器２１の放熱効率を向上することができる。
【００３８】
また、本発明を適用した実施形態によれば、幅広く形成された部位４６のフィン形状が矩形状に張り出すため、上部に矩形状に張り出す幅広く形成された部位を有するフィン板４１Ｂを幅広部４６に配置することで、簡単に熱交換器２１の上部に他の部位よりも通風抵抗の大きい部位を形成することができる。また、フィン板４１Ｂに矩形状に張り出す部位を形成することでフィン板４１Ｂの放熱面積を増大させることができるため、幅広く形成された部位の放熱効率を低減することなく、通過風速を低減させることができ、熱交換器２１の放熱効率を向上することができる。
【００３９】
また、本発明を適用した実施形態によれば、幅広く形成された部位のフィン形状が三角形状に張り出すため、送風機２２からの距離に応じて、送風機２２に近づくに従って徐々に通風抵抗を増加させるべく、幅広く形成された部位のフィン形状を形成することができる。これにより、熱交換器２１全体の通過風量を均一化させることができ、熱交換器２１の放熱効率を向上することができる。また、フィン板４１Ｂに三角形状に張り出す部位を形成することでフィン板４１Ｂの放熱面積を増大させることができるため、幅広く形成された部位の放熱効率を低減することなく、通過風速を低減させることができ、熱交換器２１の放熱効率を向上することができる。
【００４０】
また、本発明を適用した実施形態によれば、フィン・アンド・チューブ型の熱交換器２１であって、送風機２２の送風方向Ｘに沿う熱交換器２１のフィン幅が、送風機２２に近い位置において、他の部位におけるフィン幅よりも幅広く形成されている。これにより、熱交換器２１の送風機２２に近い位置の通風抵抗を増加して、他の部位からの通過風量を増加させることができる。よって、熱交換器２１全体の通過風量を均一化させることができ、熱交換器２１の放熱効率を向上することができる。
【００４１】
また、本発明を適用した実施形態によれば、熱交換器２１が断面略コ字型の熱交換器２１であるため、熱交換器２１を筐体１１の背面及び両側面を形成すべく配置し、熱交換面積を広くすることができ、熱交換器２１の放熱効率を向上することができる。
【００４２】
以上、実施形態に基づいて本発明を説明したが、本発明はこれに限定されるものではない。本実施形態では、熱交換器２１は、熱交換部４０を３列並べて形成しているが、これに限らず、熱交換部４０を任意の列数、例えば、１列、もしくは複数列、並べて形成する構成であっても良い。また、本実施形態では、幅広部４６は、最内に配置される熱交換部４０に設けられ、ユニットケース１１の内側に突出するように形成されるが、これに限らず、熱交換器２１の最外に配置される熱交換部４０にも、ユニットケース１１の外側に突出するように幅広部４６を形成する構成であっても良い。
【符号の説明】
【００４３】
Ｗ、Ｗ１、Ｗ２  フィン幅
１０  室外ユニット
１１  ユニットケース（筺体）
２１  熱交換器
２２  送風機（室外ファン）
３０  圧縮機
４０、４０Ａ、４０Ｂ  熱交換部
４１  フィン板
４１Ａ、４１Ｂ  幅広フィン板
４６、４６Ａ  幅広部（幅広く形成された部位）
Ｘ  通風方向（送風方向）
【図１】
2013130329.tif 000003
【図２】
2013130329.tif 000004
【図３】
2013130329.tif 000005
【図４】
2013130329.tif 000006
【図５】
2013130329.tif 000007
【図６】
2013130329.tif 000008
【図７】
2013130329.tif 000009
【図８】
2013130329.tif 000010